(57)【要約】【課題】経済性に優れ、かつ、イルミネーションパターンが豊富な携帯端末を提供する。【解決手段】紫外線と可視光を透過可能な透過部１１ａを有する筐体１１であって、透過部１１ａを、紫外線で発光する物質が含まれ、かつ、可視光を透過させるカバーで被覆可能な筐体１１と、筐体１１の内部から透過部１１ａを通じて可視光を放出する第１の光源１２と、筐体１１の内部から透過部１１ａを通じて紫外線を放出する第２の光源１３と、を有する。【選択図】  図１
2013179418.tif 000002
【特許請求の範囲】
【請求項１】
紫外線と可視光を透過可能な透過部を有する筐体であって、前記透過部を、前記紫外線で発光する物質が含まれ、かつ、前記可視光を透過させるカバーで被覆可能な筐体と、
前記筐体の内部から前記透過部を通じて前記可視光を放出する第１の光源と、
前記筐体の前記内部から前記透過部を通じて前記紫外線を放出する第２の光源と、
を有する携帯端末。
【請求項２】
前記筐体が前記カバーに覆われていることを検知するセンサと、
前記センサの検知に基づいて、前記第２の光源に前記紫外線を放出させる制御部と、
をさらに有する、請求項１に記載の携帯端末。
【請求項３】
前記筐体の前記透過部は、近赤外線を透過可能であり、
前記筐体の前記内部から前記透過部を通じて前記近赤外線を放出する第３の光源をさらに有する、請求項１または２に記載の携帯端末。
【請求項４】
携帯端末の筐体を被覆可能なカバーであって、前記筐体から放出される紫外線で発光する物質が含まれ、かつ、前記筐体から放出される可視光を透過させるカバー。
【請求項５】
前記カバーが、前記携帯端末から放出されて前記カバーの内部に入射した前記可視光と前記紫外線を反射させて前記カバーの前記内部で前記カバーの一端側から前記カバーの他端側に拡散させる端面と、前記端面で反射して拡散した光を反射させる反射面と、前記反射面からの光を放出する放出面と、を有する、請求項４に記載のカバー。
【請求項６】
前記カバーが、
前記携帯端末から放出されて内部に入射した前記可視光と前記紫外線を反射させて前記カバーの一端側から前記カバーの他端側に拡散させる端面と、前記端面で反射して拡散した光を反射させる反射面と、前記反射面からの光を放出する放出面と、を有する光学部材と、
前記光学部材の前記放出面に積層され、前記物質が含まれている外装部材と、
を有する、請求項４に記載のカバー。
【請求項７】
前記反射面に、前記端面で反射して拡散した前記光を前記放出面に反射させる凹凸形状部が形成されている、請求項５または６に記載のカバー。
【請求項８】
前記凹凸形状部が、前記反射面に部分的に形成されている、請求項７に記載のカバー。
【請求項９】
紫外線と可視光を透過可能な透過部を有する筐体と、
前記紫外線で発光する物質が含まれ、かつ、前記可視光を透過させるカバーであって、前記透過部を被覆可能なカバーと、
前記筐体の内部から前記透過部を通じて前記可視光を放出する第１の光源と、
前記筐体の前記内部から前記透過部を通じて前記紫外線を放出する第２の光源と、
を有するカバー付携帯端末。
【請求項１０】
携帯端末の、カバーに覆われた筐体から可視光と紫外線を同時にまたは互いに異なるタイミングで放出するステップと、
前記可視光が、前記カバーを透過するステップと、
前記紫外線で、前記カバーに含まれた蛍光物質が発光するステップと、
を有する携帯端末の電飾方法。
【発明の詳細な説明】
【技術分野】
【０００１】
本発明は、イルミネーション機能を備えた携帯端末、その携帯端末に装着可能なカバー、カバー付携帯端末、および携帯端末の電飾方法に関する。
【背景技術】
【０００２】
近年、スマートフォンに代表される携帯端末は、筐体の形状が似通っているため、筐体の形状のみで独自性を出すことが困難になっている。そのため、独自性を出す手段としてイルミネーション機能を備えた携帯端末が提案され、特許文献１に開示されている。特許文献１に記載の携帯端末は、光源から放出された色光（可視光）を複数の方向に屈折させて拡散させるレンズを有している。
【先行技術文献】
【特許文献】
【０００３】
【特許文献１】特開２００９−７５６１２号公報
【発明の概要】
【発明が解決しようとする課題】
【０００４】
携帯端末の独自性を出す手段には、イルミネーション機能の他に、携帯端末用のカバー、いわゆるジャケットがある。携帯端末の筐体の形状に独自性がなくても、色や形状に特徴のあるカバーを携帯端末に装着することによって、独自性を出すことが可能となる。
【０００５】
上述したカバー（ジャケット）には、特徴のある色や形状の要求だけでなくイルミネーション機能の要求もある。しかしながら、イルミネーション機能の要求に応えるためには、光源や、光源に付随する電気部品（例えば、電源）等が必要になる。そのため、カバーが高価なものになってしまう。特許文献１に記載の携帯端末は、端末自身がイルミネーション機能を備えているものの、カバーの装着を前提としていない。そのため、カバーの装着によって、イルミネーション機能が十分に発揮されない可能性がある。イルミネーション機能を発揮できたとしても、特許文献１に記載の携帯端末は、イルミネーションの光源が可視光のみであるため、イルミネーションパターンが乏しい。
【０００６】
そこで、本発明は、経済性に優れ、かつ、イルミネーションパターンが豊富な携帯端末、その携帯端末に装着可能なカバー、カバー付携帯端末、および携帯端末の電飾方法を提供することを目的とする。
【課題を解決するための手段】
【０００７】
上記目的を達成するために本発明の携帯端末は、紫外線と可視光を透過可能な透過部を有する筐体であって、前記透過部を、前記紫外線で発光する物質が含まれ、かつ、前記可視光を透過させるカバーで被覆可能な筐体と、前記筐体の内部から前記透過部を通じて前記可視光を放出する第１の光源と、前記筐体の前記内部から前記透過部を通じて前記紫外線を放出する第２の光源と、を有する。
【０００８】
上記目的を達成するために本発明のカバーは、携帯端末の筐体を被覆可能なカバーであって、前記筐体から放出される紫外線で発光する物質が含まれ、かつ、前記筐体から放出される可視光を透過させる。
【０００９】
上記目的を達成するために本発明のカバー付携帯端末は、紫外線と可視光を透過可能な透過部を有する筐体と、前記紫外線で発光する物質が含まれ、かつ、前記可視光を透過させるカバーであって、前記透過部を被覆可能なカバーと、前記筐体の内部から前記透過部を通じて前記可視光を放出する第１の光源と、前記筐体の前記内部から前記透過部を通じて前記紫外線を放出する第２の光源と、を有する。
【００１０】
上記目的を達成するために本発明の携帯端末の電飾方法は、携帯端末の、カバーに覆われた筐体から可視光と紫外線を同時にまたは互いに異なるタイミングで放出するステップと、前記可視光が、前記カバーを透過するステップと、前記紫外線で、前記カバーに含まれた蛍光物質が発光するステップと、を有する。
【発明の効果】
【００１１】
本発明によれば、経済性に優れ、かつ、イルミネーションパターンが豊富な携帯端末、その携帯端末に装着可能なカバー、カバー付携帯端末、および携帯端末の電飾方法を提供することが可能となる。
【図面の簡単な説明】
【００１２】
【図１】実施形態１の携帯端末の背面図である。
【図２】図１に示す携帯端末にカバーを装着した状態を示す図である。
【図３】図２に示す切断線Ａ−Ａに沿った断面図である。
【図４】カバーに含まれた蛍光物質が発光した状態を示す図である。
【図５】実施形態２の携帯端末およびカバーを示す断面図である。
【図６】実施形態１で説明した光学部材の反射面に凹凸形状部が形成された形態を示す断面図である。
【図７】実施形態２で説明した被覆部材の反射面に凹凸形状部が形成された形態を示す断面図である。
【図８】凹凸形状部が部分的に形成された形態を示す図である。
【図９】カバーを装着しているときだけ紫外線を放出する機能を備えた携帯端末のブロック図である。
【図１０】近赤外線を放出する機能を備えた携帯端末の背面図である。
【発明を実施するための形態】
【００１３】
（実施形態１）
本発明の実施形態１について説明する。図１は、実施形態１の携帯端末の背面図である。図２は、図１に示す携帯端末１にカバー２を装着した状態を示す図である。図３は、図２に示す切断線Ａ−Ａに沿った断面図である。図３では、各部材を離して記載している。
【００１４】
まず、携帯端末１の構成について説明する。本発明の携帯端末は、携帯電話機、スマートフォンに限らず、他の装置（例えば、ゲーム機、タブレットＰＣ（Personal Computer）、ノートＰＣ、ＰＤＡ（Personal Data Assistants））にも適用可能である。図１に示す携帯端末１において、筐体１１の一端側には、可視光と紫外線を透過可能な透過部１１ａが形成されている。透過部１１ａは、後述する紫外線で発光する物質に紫外線が到達できる程度に紫外線の透過率が高い。筐体１１の内部において透過部１１ａに対向する位置には、可視光を放出する光源１２（第１の光源）と、紫外線を放出する光源１３（第２の光源）とが配置されている。光源１２は、例えば、赤色光、緑色光、青色光を発光可能なＬＥＤ（Light Emitting Diode）のような発光素子で構成されている。光源１３は、例えば、紫外線を発光可能なＬＥＤのような発光素子で構成されている。光源１２と光源１３は、基板１５（図３参照）に搭載されている。
【００１５】
次に、カバー２の構成について説明する。実施形態１では、図３に示すように、カバー２は、光学部材２１と、外装部材２２を有する。光学部材２１は、例えば、後述する紫外線で発光する物質に紫外線が到達できる程度に紫外線の透過率が高い透明樹脂で構成され、端面２１ａと、端面２１ａに交差する反射面２１ｂと、反射面２１ｂに対向する放出面２１ｃを有する。外装部材２２は、放出面２１ｃに積層されている。外装部材２２は、可視光を透過する機能を備え、紫外線で発光する物質を含んでいる。このような物質には、例えば、蛍光物質がある。ここでいう蛍光物質には、紫外線の照射を止めてもしばらく発光を持続させること（燐光）が可能な蓄光物質も含む。
【００１６】
実施形態１では、まず、携帯端末１において光源１２と光源１３が、筐体１１の内部から透過部１１ａを通じて同時にまたは互いに異なるタイミングで可視光と紫外線を放出する。放出された光は、光学部材２１の内部に入射する。この入射光は、端面２１ａで散乱等して反射して光学部材２１の一端側から他端側へ拡散する。端面２１ａで反射して拡散した光は、反射面２１ｂで反射し、放出面２１ｃから放出される。放出面２１ｃから放出された光は、外装部材２２の内部に入射する。この入射光が可視光の場合、その可視光は、外装部材２２を透過する。一方、この入射光が紫外線の場合、図４に示すように、外装部材２２に含まれた蛍光物質２２ａが紫外線で発光する（紫外線を可視光に変換する）。
【００１７】
実施形態１によれば、携帯端末１は、可視光を放出する光源１２と、紫外線を放出する光源１３と、を有する。一方、カバー２は、紫外線で発光する機能と、可視光を透過させる機能を有する。そのため、カバー２が、光源や、光源に付随する電気部品を備える必要がないので、低コストでイルミネーション機能を実現することが可能になる。さらに、可視光と紫外線をイルミネーションの光として用いているので、これらの光を組み合わせることによって、豊富なイルミネーションパターンを実現することが可能になる。具体的なイルミネーションパターンには、模様に沿って蛍光物質２２ａを外装部材２２に配置させて発光させるパターンや、外装部材２２の一部分のみ可視光を透過させ、蛍光物質２２ａで外装部材２２全体を光らせるパターンなどがある。
【００１８】
（実施形態２）
本発明の実施形態２について説明する。以下、実施形態１と異なる部分を中心に説明する。図５は、本発明の実施形態２の携帯端末およびカバーの断面図である。図５は、図３に示す断面図と対応している。
【００１９】
実施形態２では実施形態１で説明した携帯端末１を用いるため、携帯端末１についての詳細な説明は省略する。図７に示すカバー３は、実施形態１で説明した光学部材２１と外装部材２２を一体化したような構造である。すなわち、カバー３には、蛍光物質が含まれ、かつ、端面３０ａ、反射面３０ｂ、および放出面３０ｃが形成されている。
【００２０】
実施形態２では、携帯端末１から放出された光は、カバー３の内部に入射する。この入射光は端面３０ａで反射してカバー３の一端側から他端側へ拡散する。端面３０ａで散乱等して反射して拡散した光は、反射面３０ｂで反射し、放出面３０ｃから放出される。携帯端末１から可視光が放出された場合、その可視光は、放出面３０ｃを透過する。一方、携帯端末１から紫外線が放出された場合、放出面３０ｃから放出される光は、カバー３に含まれた蛍光物質の発光により生成された可視光となる。
【００２１】
実施形態２によれば、実施形態１と同様に、カバー３が、光源や、光源に付随する電気部品を備える必要がないので、低コストでイルミネーション機能を実現することが可能になる。そして、実施形態１と同様に、可視光と紫外線をイルミネーションの光として用いているので、豊富なイルミネーションパターンを実現することが可能になる。特に、実施形態２では、カバー３が、光学部材２１と外装部材２２を一体化したような構造であるため、実施形態１のかバー２に比べカバーの薄型化が可能となる。
【００２２】
以上、実施形態を参照して本発明を説明したが、本発明は上記実施形態に限定されるものではない。
【００２３】
本発明では、蛍光物質の発光強度が肉眼で見える程度であれば、イルミネーション機能を発揮できるが、蛍光物質の発光強度を強めるために、図６に示すような凹凸形状部４を実施形態１で説明した光学部材２１の反射面２１ｂに形成してもよい。
【００２４】
凹凸形状部４が反射面２１ｂに形成されると、凹凸形状部４で反射して拡散した紫外線は、放出面２１ｃに反射する。その結果、光量の大きな紫外線が外装部材２２に入射するので蛍光物質２２ａの発光強度が強くなる。凹凸形状部４の凸部の形状は、例えば、プリズム形状、円柱形状、円錐形状、または半球形状などであればよい。反射率を向上させるために凹凸形状部４の表面を、アルミ等の蒸着膜で覆ってもよい。反射面２１ｂに凹凸形状部４が形成された光学部材２１は、平坦面に、上述した形状の突起を形成し、外装部材２２に含まれた紫外線で発光する物質に紫外線が到達できる程度に紫外線の透過率が高い樹脂を被せた構造であってもよい。
【００２５】
凹凸形状部４は、反射面２１ｂの全体に形成されていてもよいし、図７に示すように反射面２１ｂに部分的に形成されていてもよい。凹凸形状部４が反射面２１ｂに部分的に形成されている場合には、外装部材２２に蛍光物質２２ａの発光強度が強い領域と弱い領域とが形成されるので、独特のイルミネーションパターンを生成することが可能となる。光学部材２１が透明な板状部材の場合、反射面２１ｂには、凹凸形状部４の替わりに、白色顔料を含んだ複数のドットが印刷されていてもよい。
【００２６】
上述した凹凸形状部４は、実施形態１で説明した光学部材２１だけでなく、図８に示すように、実施形態２で説明したカバー３の反射面３０ｂに形成してもよい。
【００２７】
さらに、本発明では、携帯端末が、カバーを装着しているときだけ紫外線を放出する機能を備えていてもよい。図９は、カバーを装着しているときだけ紫外線を放出する機能を備えた携帯端末のブロック図である。図９に示すブロック図は、紫外線を放出する光源１３の制御構成に関する部分のみを示している。図９に示す携帯端末５では、センサ５が、筐体１１がカバー２またはカバー３に覆われていることを検知すると、制御部６が光源１３に紫外線を放出させる構成となっている。センサ５は、例えば、カバー２、３の筐体１１への着脱に応じて変化した変位量を電気信号で示す接触センサなどで構成されている。制御部６は、例えば、ＣＰＵ（Central Processing Unit）などで構成されている。
【００２８】
さらに、本発明では、携帯端末が、近赤外線を放出する機能を備えていてもよい。図１０は、近赤外線を放出する機能を備えた携帯端末の背面図である。図１０に示す携帯端末１００は、上述した光源１２、１３に加えて近赤外線を放出する光源１４（第３の光源）を有する。携帯端末１００をカバー２、３に装着にした場合、光源１４から放出された近赤外線は、光源１２から放出された可視光と同様に、カバー２、３を透過する。カバー２、３を装着した携帯端末１００を、近赤外光カットフィルタが装着されていないカメラやビデオカメラで撮影すると、撮影画像に近赤外光が写る。そのため、この近赤外光を効果光として使用することが可能となる。
【００２９】
さらに、本発明では、携帯端末から放出された可視光、紫外線を外装部材２２に導く手段として光ファイバを用いてもよい。
【符号の説明】
【００３０】
１、１０、１００  携帯端末
２、３  カバー
４  凹凸形状部
５  センサ
６  制御部
１１  筐体
１１ａ  透過部
１２、１３、１４  光源
１５  基板
２１  光学部材
２１ａ、３０ａ  端面
２１ｂ、３０ｂ  反射面
２１ｃ、３０ｃ  放出面
２２  外装部材
２２ａ  蛍光物質
【図１】
2013179418.tif 000003
【図２】
2013179418.tif 000004
【図３】
2013179418.tif 000005
【図４】
2013179418.tif 000006
【図５】
2013179418.tif 000007
【図６】
2013179418.tif 000008
【図７】
2013179418.tif 000009
【図８】
2013179418.tif 000010
【図９】
2013179418.tif 000011
【図１０】
2013179418.tif 000012